【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
ワイヤレス通信システムにおいてユーザ機器（ＵＥ）によって行われる方法であって、
複数のコンポーネントキャリア（ＣＣ）を備える前記ＵＥのキャリアアグリゲーション（ＣＡ）構成を識別することと、
前記ＵＥの処理性能と、アンテナ構成または制御チャネル構成のうちの少なくとも１つとに少なくとも部分的に基づいて、前記ＣＡ構成に関連付けられたチャネル状態レポーティング処理の限界を識別することと
を備える、方法。
【請求項２】
基地局に前記チャネル状態レポーティング処理の限界のインジケーションを送信すること、または
前記基地局に前記アンテナ構成のインジケーションを送信すること
をさらに備える、請求項１に記載の方法。
【請求項３】
前記チャネル状態レポーティング処理の限界の前記インジケーションは、前記複数のＣＣの各ＣＣについてのチャネル状態処理の数を備える、または
前記アンテナ構成は、受信アンテナの数を備え、前記チャネル状態レポーティング処理の限界は、前記受信アンテナの数に少なくとも部分的に基づいて、識別される、
請求項２に記載の方法。
【請求項４】
前記チャネル状態レポーティング処理の限界に従って、前記基地局に１つまたは複数のチャネル状態レポートを送信することをさらに備える、  請求項２に記載の方法。
【請求項５】
チャネル状態レポートの数が前記チャネル状態レポーティング処理の限界を超えることを決定することと、
前記チャネル状態レポーティング処理の限界に少なくとも部分的に基づいて、前記１つまたは複数のチャネル状態レポートに優先順位を付けること、ここにおいて、前記１つまたは複数のチャネル状態レポートは、前記優先順位付けに従って、送信される、と
をさらに備える、請求項４に記載の方法。
【請求項６】
前記制御チャネル構成は、物理ダウンリンク制御チャネル（ＰＤＣＣＨ）を備え、前記チャネル状態レポーティング処理の限界は、前記ＰＤＣＣＨにおいてダウンリンク（ＤＬ）シグナリングをモニタすることに少なくとも部分的に基づいて、識別され、前記制御チャネル構成は、拡張物理ダウンリンク制御チャネル（ｅＰＤＣＣＨ）を備え、前記チャネル状態レポーティング処理の限界は、前記ｅＰＤＣＣＨにおいてＤＬシグナリングをモニタすることに少なくとも部分的に基づいて、識別される、
請求項１に記載の方法。
【請求項７】
基地局からチャネル状態レポーティングについてのトリガを受信することと、
前記トリガに少なくとも部分的に基づいて、第１のサブフレームにおいて第１のチャネル状態レポートを送信することと、
前記トリガに少なくとも部分的に基づいて、第２のサブフレームにおいて第２のチャネル状態レポートを送信することと
をさらに備える、請求項１に記載の方法。
【請求項８】
前記トリガに関連付けられたチャネル状態レポートに関連付けられた処理の数がしきい値を超えることを決定することと、
前記決定に少なくとも部分的に基づいて、前記第１のサブフレームまたは前記第２のサブフレームの間、現在のものでないチャネル状態レポートを送信すること、ここにおいて、前記現在のものでないチャネル状態レポートは、前のトリガに関連付けられる、と
をさらに備える、請求項７に記載の方法。
【請求項９】
ワイヤレス通信のための方法であって、
ユーザ機器（ＵＥ）についてのキャリアアグリゲーション（ＣＡ）構成を確立すること、ここにおいて、前記ＣＡ構成は、複数のＣＣを備える、と、
前記ＵＥからチャネル状態レポーティング処理の限界のインジケーションを受信すること、ここにおいて、前記チャネル状態レポーティング処理の限界は、前記ＵＥの処理性能と、前記ＵＥのアンテナ構成または制御チャネル構成のうちの少なくとも１つとに関連付けられる、と
を備える、方法。
【請求項１０】
前記チャネル状態レポーティング処理の限界に少なくとも部分的に基づく前記ＣＡ構成において、前記複数のＣＣについてのチャネル状態レポーティング構成を送信することをさらに備える、
請求項９に記載の方法。
【請求項１１】
前記チャネル状態レポーティング処理の限界に従って、１つまたは複数のチャネル状態レポートを受信することをさらに備える、または前記チャネル状態レポーティング処理の限界に少なくとも部分的に基づいて、サブフレームについてのチャネル状態レポート処理のピーク数を識別することをさらに備え、前記チャネル状態レポーティング構成は、前記サブフレームについてのチャネル状態レポート処理の前記ピーク数に基づく、
請求項１０に記載の方法。
【請求項１２】
前記チャネル状態レポーティング構成に少なくとも部分的に基づいて、チャネル状態レポーティングについてのトリガを送信することをさらに備え、チャネル状態レポーティングについての前記トリガは、チャネル状態レポートについての複数のサブフレームを示す、
請求項１０に記載の方法。
【請求項１３】
前記ＵＥによってチャネル状態レポーティングをトリガすることと、
チャネル状態レポーティングについての前記トリガに少なくとも部分的に基づいて、第１のサブフレームにおいて第１のチャネル状態レポートを受信することと、
チャネル状態レポーティングについての前記トリガに少なくとも部分的に基づいて、第２のサブフレームにおいて第２のチャネル状態レポートを受信することと
をさらに備える、請求項１２に記載の方法。
【請求項１４】
前記ＵＥから前記アンテナ構成のインジケーションを受信することと
をさらに備える、請求項９に記載の方法。
【請求項１５】
前記アンテナ構成は、前記ＵＥにおいて利用可能な受信アンテナの数を備え、前記チャネル状態レポーティング処理の限界は、前記受信アンテナの数に少なくとも部分的に基づいて、識別される、
請求項１４に記載の方法。
【請求項１６】
前記制御チャネル構成は、拡張物理ダウンリンク制御チャネル（ｅＰＤＣＣＨ）を備える、または前記チャネル状態レポーティング処理の限界の前記インジケーションは、前記複数のＣＣの各ＣＣについてのチャネル状態処理の数を備える、または前記チャネル状態レポーティング処理の限界は、チャネル状態情報基準信号（ＣＳＩ−ＲＳ）ベースのレポートの数、セル固有基準信号（ＣＲＳ）ベースのレポートの数、周期的なＣＳＩレポートの数、非周期的なＣＳＩレポートの数、またはそれらの任意の組み合わせに関連付けられる、
請求項９に記載の方法。
【請求項１７】
請求項１乃至１６のいずれか１項に記載のステップを実行するようにアレンジされた手段を備える、ワイヤレス通信のための装置。
【手続補正２】
【補正対象書類名】明細書
【補正対象項目名】０１６６
【補正方法】変更
【補正の内容】
【０１６６】
[0177]添付の図面では、同様のコンポーネントまたは特徴は、同じ参照ラベルを有し得る。さらに、同じタイプの様々なコンポーネントは、参照ラベルの後に、ダッシュと、同様のコンポーネント間を区別する第２のラベルとを続けることによって区別され得る。第１の参照ラベルのみが本明細書において使用される場合、その説明は、第２の参照ラベルに関わりなく、同じ第１の参照ラベルを有する同様のコンポーネントのうちの任意の１つに適用可能である。
以下に、本願出願の当初の特許請求の範囲に記載された発明を付記する。
［Ｃ１］
ワイヤレス通信システムにおいてユーザ機器（ＵＥ）によって行われる方法であって、
複数のコンポーネントキャリア（ＣＣ）を備える前記ＵＥのキャリアアグリゲーション（ＣＡ）構成を識別することと、
前記ＵＥの処理性能およびアンテナ構成または制御チャネル構成のうちの少なくとも１つに少なくとも部分的に基づいて、前記ＣＡ構成に関連付けられたチャネル状態レポーティング処理の限界を識別することと
を備える、方法。
［Ｃ２］
基地局に前記チャネル状態レポーティング処理の限界のインジケーションを送信することをさらに備える、
［Ｃ１］に記載の方法。
［Ｃ３］
前記チャネル状態レポーティング処理の限界の前記インジケーションは、前記複数のＣＣの各ＣＣについてのチャネル状態処理の数を備える、
［Ｃ２］に記載の方法。
［Ｃ４］
前記チャネル状態レポーティング処理の限界に従って、前記基地局に１つまたは複数のチャネル状態レポートを送信することをさらに備える、
［Ｃ２］に記載の方法。
［Ｃ５］
チャネル状態レポートの数が前記チャネル状態レポーティング処理の限界を超えることを決定することと、
前記チャネル状態レポーティング処理の限界に少なくとも部分的に基づいて、前記１つまたは複数のチャネル状態レポートに優先順位を付けること、ここにおいて、前記１つまたは複数のチャネル状態レポートは、前記優先順位付けに従って、送信される、と
をさらに備える、［Ｃ４］に記載の方法。
［Ｃ６］
前記基地局に前記アンテナ構成のインジケーションを送信することをさらに備える、
［Ｃ２］に記載の方法。
［Ｃ７］
前記アンテナ構成は、受信アンテナの数を備え、前記チャネル状態レポーティング処理の限界は、前記受信アンテナの数に少なくとも部分的に基づいて、識別される、
［Ｃ６］に記載の方法。
［Ｃ８］
前記制御チャネル構成は、物理ダウンリンク制御チャネル（ＰＤＣＣＨ）を備え、前記チャネル状態レポーティング処理の限界は、前記ＰＤＣＣＨにおいてダウンリンク（ＤＬ）シグナリングをモニタすることに少なくとも部分的に基づいて、識別される、
［Ｃ１］に記載の方法。
［Ｃ９］
前記制御チャネル構成は、拡張物理ダウンリンク制御チャネル（ｅＰＤＣＣＨ）を備え、前記チャネル状態レポーティング処理の限界は、前記ｅＰＤＣＣＨにおいてＤＬシグナリングをモニタすることに少なくとも部分的に基づいて、識別される、
［Ｃ１］に記載の方法。
［Ｃ１０］
基地局からチャネル状態レポーティングについてのトリガを受信することと、
前記トリガに少なくとも部分的に基づいて、第１のサブフレームにおいて第１のチャネル状態レポートを送信することと、
前記トリガに少なくとも部分的に基づいて、第２のサブフレームにおいて第２のチャネル状態レポートを送信することと
をさらに備える、［Ｃ１］に記載の方法。
［Ｃ１１］
前記トリガに関連付けられたチャネル状態レポートに関連付けられた処理の数がしきい値を超えることを決定することと、
前記決定に少なくとも部分的に基づいて、前記第１のサブフレームまたは前記第２のサブフレームの間、現在のものでないチャネル状態レポートを送信すること、ここにおいて、前記現在のものでないチャネル状態レポートは、前のトリガに関連付けられる、と
をさらに備える、［Ｃ１０］に記載の方法。
［Ｃ１２］
ワイヤレス通信のための方法であって、
ユーザ機器（ＵＥ）についてのキャリアアグリゲーション（ＣＡ）構成を確立すること、ここにおいて、前記ＣＡ構成は、複数のＣＣを備える、と、
前記ＵＥからチャネル状態レポーティング処理の限界のインジケーションを受信すること、ここにおいて、前記チャネル状態レポーティング処理の限界は、前記ＵＥの処理性能および前記ＵＥのアンテナ構成または制御チャネル構成のうちの少なくとも１つに関連付けられる、と
を備える、方法。
［Ｃ１３］
前記チャネル状態レポーティング処理の限界に少なくとも部分的に基づく前記ＣＡ構成において、前記複数のＣＣについてのチャネル状態レポーティング構成を送信することをさらに備える、
［Ｃ１２］に記載の方法。
［Ｃ１４］
前記チャネル状態レポーティング処理の限界に従って、１つまたは複数のチャネル状態レポートを受信することをさらに備える、
［Ｃ１３］に記載の方法。
［Ｃ１５］
前記チャネル状態レポーティング処理の限界に少なくとも部分的に基づいて、サブフレームについてのチャネル状態レポート処理のピーク数を識別することをさらに備え、前記チャネル状態レポーティング構成は、前記サブフレームについてのチャネル状態レポート処理の前記ピーク数に基づく、
［Ｃ１３］に記載の方法。
［Ｃ１６］
前記チャネル状態レポーティング構成に少なくとも部分的に基づいて、チャネル状態レポーティングについてのトリガを送信することをさらに備え、チャネル状態レポーティングについての前記トリガは、チャネル状態レポートについての複数のサブフレームを示す、
［Ｃ１３］に記載の方法。
［Ｃ１７］
前記ＵＥによってチャネル状態レポーティングをトリガすることと、
チャネル状態レポーティングについての前記トリガに少なくとも部分的に基づいて、第１のサブフレームにおいて第１のチャネル状態レポートを受信することと、
チャネル状態レポーティングについての前記トリガに少なくとも部分的に基づいて、第２のサブフレームにおいて第２のチャネル状態レポートを受信することと
をさらに備える、［Ｃ１６］に記載の方法。
［Ｃ１８］
前記ＵＥから前記アンテナ構成のインジケーションを受信することと
をさらに備える、［Ｃ１２］に記載の方法。
［Ｃ１９］
前記アンテナ構成は、前記ＵＥにおいて利用可能な受信アンテナの数を備え、前記チャネル状態レポーティング処理の限界は、前記受信アンテナの数に少なくとも部分的に基づいて、識別される、
［Ｃ１８］に記載の方法。
［Ｃ２０］
前記制御チャネル構成は、拡張物理ダウンリンク制御チャネル（ｅＰＤＣＣＨ）を備える、
［Ｃ１２］に記載の方法。
［Ｃ２１］
前記チャネル状態レポーティング処理の限界の前記インジケーションは、前記複数のＣＣの各ＣＣについてのチャネル状態処理の数を備える、
［Ｃ１２］に記載の方法。
［Ｃ２２］
前記チャネル状態レポーティング処理の限界は、チャネル状態情報基準信号（ＣＳＩ−ＲＳ）ベースのレポートの数、セル固有基準信号（ＣＲＳ）ベースのレポートの数、周期的なＣＳＩレポートの数、非周期的なＣＳＩレポートの数、またはそれらの任意の組み合わせに関連付けられる、
［Ｃ１２］に記載の方法。
［Ｃ２３］
ワイヤレス通信のための装置であって、
プロセッサと、
前記プロセッサと電子通信中のメモリと、
前記メモリに記憶され、および前記プロセッサによって実行されると、前記装置に、
複数のコンポーネントキャリア（ＣＣ）を備えるユーザ機器（ＵＥ）のキャリアアグリゲーション（ＣＡ）構成を識別することと、
前記ＵＥの処理性能およびアンテナ構成または制御チャネル構成のうちの少なくとも１つに少なくとも部分的に基づいて、前記ＣＡ構成に関連付けられたチャネル状態レポーティング処理の限界を識別することと
を行わせることが動作可能である命令と
を備える、装置。
［Ｃ２４］
ワイヤレス通信のための装置であって、
プロセッサと、
前記プロセッサと電子通信中のメモリと、
前記メモリに記憶され、および前記プロセッサによって実行されると、前記装置に、
ユーザ機器（ＵＥ）についてのキャリアアグリゲーション（ＣＡ）構成を確立すること、ここにおいて、前記ＣＡ構成は、複数のＣＣを備える、と、
前記ＵＥからチャネル状態レポーティング処理の限界のインジケーションを受信すること、ここにおいて、前記チャネル状態レポーティング処理の限界は、前記ＵＥの処理性能および前記ＵＥのアンテナ構成または制御チャネル構成のうちの少なくとも１つに関連付けられる、と、
を行わせることが動作可能である命令と
を備える、装置。
［Ｃ２５］
ワイヤレス通信のための装置であって、
複数のコンポーネントキャリア（ＣＣ）を備えるユーザ機器（ＵＥ）のキャリアアグリゲーション（ＣＡ）構成を識別するための手段と、
前記ＵＥの処理性能およびアンテナ構成または制御チャネル構成のうちの少なくとも１つに少なくとも部分的に基づいて、前記ＣＡ構成に関連付けられたチャネル状態レポーティング処理の限界を識別するための手段と
を備える、装置。
［Ｃ２６］
基地局に前記チャネル状態レポーティング処理の限界のインジケーションを送信するための手段をさらに備える、
［Ｃ２５］に記載の装置。
［Ｃ２７］
前記チャネル状態レポーティング処理の限界の前記インジケーションは、前記複数のＣＣの各ＣＣについてのチャネル状態処理の数を備える、
［Ｃ２６］に記載の装置。
［Ｃ２８］
前記チャネル状態レポーティング処理の限界に従って、前記基地局に１つまたは複数のチャネル状態レポートを送信するための手段をさらに備える、
［Ｃ２６］に記載の装置。
［Ｃ２９］
前記チャネル状態レポートの数がチャネル状態レポーティング処理の限界を超えることを決定するための手段と、
前記チャネル状態レポーティング処理の限界に少なくとも部分的に基づいて、前記１つまたは複数のチャネル状態レポートに優先順位を付けるための手段、ここにおいて、前記１つまたは複数のチャネル状態レポートは、前記優先順位付けに従って、送信される、と
をさらに備える、［Ｃ２８］に記載の装置。
［Ｃ３０］
前記基地局に前記アンテナ構成のインジケーションを送信するための手段をさらに備える、
［Ｃ２６］に記載の装置。
［Ｃ３１］
前記アンテナ構成は、受信アンテナの数を備え、前記チャネル状態レポーティング処理の限界は、前記受信アンテナの数に少なくとも部分的に基づいて、識別される、
［Ｃ３０］に記載の装置。
［Ｃ３２］
前記制御チャネル構成は、物理ダウンリンク制御チャネル（ＰＤＣＣＨ）を備え、前記チャネル状態レポーティング処理の限界は、前記ＰＤＣＣＨにおいてダウンリンク（ＤＬ）シグナリングをモニタすることに少なくとも部分的に基づいて、識別される、
［Ｃ２５］に記載の装置。
［Ｃ３３］
前記制御チャネル構成は、拡張物理ダウンリンク制御チャネル（ｅＰＤＣＣＨ）を備え、前記チャネル状態レポーティング処理の限界は、前記ｅＰＤＣＣＨにおいてＤＬシグナリングをモニタすることに少なくとも部分的に基づいて、識別される、
［Ｃ２５］に記載の装置。
［Ｃ３４］
基地局からチャネル状態レポーティングについてのトリガを受信するための手段と、
前記トリガに少なくとも部分的に基づいて、第１のサブフレームにおいて第１のチャネル状態レポートを送信するための手段と、
前記トリガに少なくとも部分的に基づいて、第２のサブフレームにおいて第２のチャネル状態レポートを送信するための手段と
をさらに備える、［Ｃ２５］に記載の装置。
［Ｃ３５］
前記トリガに関連付けられたチャネル状態レポートに関連付けられた処理の数がしきい値を超えることを決定するための手段と、
前記決定に少なくとも部分的に基づいて、前記第１のサブフレームまたは前記第２のサブフレームの間、現在のものでないチャネル状態レポートを送信するための手段、ここにおいて、前記現在のものでないチャネル状態レポートは、前のトリガに関連付けられる、と
をさらに備える、［Ｃ３４］に記載の装置。
［Ｃ３６］
ワイヤレス通信のための装置であって、
ユーザ機器（ＵＥ）についてのキャリアアグリゲーション（ＣＡ）構成を確立するための手段、ここにおいて、前記ＣＡ構成は、複数のＣＣを備える、と、
前記ＵＥからチャネル状態レポーティング処理の限界のインジケーションを受信するための手段、ここにおいて、前記チャネル状態レポーティング処理の限界は、前記ＵＥの処理性能および前記ＵＥのアンテナ構成または制御チャネル構成のうちの少なくとも１つに関連付けられる、と
を備える、装置。
［Ｃ３７］
前記チャネル状態レポーティング処理の限界に少なくとも部分的に基づく前記ＣＡ構成において、前記複数のＣＣについてのチャネル状態レポーティング構成を送信するための手段をさらに備える、
［Ｃ３６］に記載の装置。
［Ｃ３８］
前記チャネル状態レポーティング処理の限界に従って、１つまたは複数のチャネル状態レポートを受信するための手段をさらに備える、
［Ｃ３７］に記載の装置。
［Ｃ３９］
前記チャネル状態レポーティング処理の限界に少なくとも部分的に基づいて、サブフレームについてのチャネル状態レポート処理のピーク数を識別するための手段をさらに備え、前記チャネル状態レポーティング構成は、前記サブフレームについてのチャネル状態レポート処理の前記ピーク数に基づく、
［Ｃ３７］に記載の装置。
［Ｃ４０］
前記チャネル状態レポーティング構成に少なくとも部分的に基づいて、チャネル状態レポーティングについてのトリガを送信するための手段をさらに備え、チャネル状態レポーティングについての前記トリガは、チャネル状態レポートについての複数のサブフレームを示す、
［Ｃ３７］に記載の装置。
［Ｃ４１］
前記ＵＥによってチャネル状態レポーティングをトリガするための手段と、
チャネル状態レポーティングについての前記トリガに少なくとも部分的に基づいて、第１のサブフレームにおいて第１のチャネル状態レポートを受信するための手段と、
チャネル状態レポーティングについての前記トリガに少なくとも部分的に基づいて、第２のサブフレームにおいて第２のチャネル状態レポートを受信するための手段と
をさらに備える、［Ｃ４０］に記載の装置。
［Ｃ４２］
前記ＵＥから前記アンテナ構成のインジケーションを受信するための手段と
をさらに備える、［Ｃ３６］に記載の装置。
［Ｃ４３］
前記アンテナ構成は、前記ＵＥにおいて利用可能な受信アンテナの数を備え、前記チャネル状態レポーティング処理の限界は、前記受信アンテナの数に少なくとも部分的に基づいて、識別される、
［Ｃ４２］に記載の装置。
［Ｃ４４］
前記制御チャネル構成は、拡張物理ダウンリンク制御チャネル（ｅＰＤＣＣＨ）を備える、
［Ｃ３６］に記載の装置。
［Ｃ４５］
前記チャネル状態レポーティング処理の限界の前記インジケーションは、前記複数のＣＣの各ＣＣについてのチャネル状態処理の数を備える、
［Ｃ３６］に記載の装置。
［Ｃ４６］
前記チャネル状態レポーティング処理の限界は、チャネル状態情報基準信号（ＣＳＩ−ＲＳ）ベースのレポートの数、セル固有基準信号（ＣＲＳ）ベースのレポートの数、周期的なＣＳＩレポートの数、非周期的なＣＳＩレポートの数、またはそれらの任意の組み合わせに関連付けられる、
［Ｃ３６］に記載の装置。